(57)【要約】【課題】  データ放送の内容を提示するまでの時間を増大することなく、連続視聴時間を拡大可能なデジタル放送受信装置を提供すること。【解決手段】  デジタル放送受信装置は、デジタル放送用放送波を受信する受信部１と、データ放送サービスを提示するためのデータ提示部１１と、データ放送から分離されたデータを取得するデータ取得部６と、取得データを記録する情報記憶部７と、使用者がデータ放送を提示指示するためのデータ提示指示部１０と、提示指示に基づいてデータの提示を開始すること優先させるデータ提示設定部８とを備える。また、デジタル放送受信装置は、使用者から指示される任意のタイミングでデータを提示する場合、電源投入後あるいは選局後、デジタル放送波から、データ取得部６においてデータ放送で最初に提示される内容を構成するデータのみを取得し、取得したデータを前記情報記憶手段に記録した後にデータ放送処理機能を停止する。【選択図】  図１
2006352582.tif 000002
【特許請求の範囲】
【請求項１】
データ放送を受信可能なデジタル放送受信装置であって、
前記デジタル放送受信装置は、
放送局から送出されるデジタル放送用放送波を受信する受信手段と、
データ放送サービスを提示するためのデータ提示手段と、
デジタル放送用放送サービスからデータ放送のデータを分離、取得するデータ取得手段と、
取得したデータ放送のデータを記録する内部又は外部の情報記憶手段と、使用者がデータ放送を提示する指示を入力するためのデータ提示指示手段と、
使用者からの提示指示に基づいてデータの提示を開始すること優先させるデータ提示設定手段とを備え、
前記デジタル放送受信装置は、前記データ提示設定手段による設定に従って使用者から指示される任意のタイミングでデータを提示する場合、電源投入後あるいは選局後、前記受信手段において取得したデジタル放送波から、前記データ取得手段においてデータ放送で最初に提示される内容を構成するデータのみを取得し、取得したデータを前記情報記憶手段に記録した後にデータ放送処理機能を停止する、デジタル放送受信装置。
【請求項２】
前記情報記憶手段内に記録されているデータが最新のものであるかの判定を一定周期あるいは特定のタイミングで行うデータ更新判定手段をさらに備える、請求項１に記載のデジタル放送受信装置。
【請求項３】
前記デジタル放送受信装置は、前記データ更新判定手段の判定に従って、データが最新であれば記録されているデータを優先的に使用してデータ放送の提示を行う、請求項２に記載のデジタル放送受信装置。
【請求項４】
前記デジタル放送受信装置は、前記データ更新判定手段の判定に従って、前記情報記憶手段に記録されているデータが最新でない場合に、改めてデータを取得し、前記情報記憶手段に記録されているデータの更新を行う、請求項２に記載のデジタル放送受信装置。
【発明の詳細な説明】
【技術分野】
【０００１】
本発明は、デジタル放送受信装置に関し、より特定的には、データ放送を受信可能なデジタル放送受信装置に関する。
【背景技術】
【０００２】
デジタル放送では、例えばＭＰＥＧ２（Ｍｏｖｉｎｇ  Ｐｉｃｔｕｒｅ  Ｅｘｐｅｒｔｓ  Ｇｒｏｕｐ）のような規格に従って符号化された映像、音声及びデータ等は、トランスポートストリームに多重化され伝送される。このようなデジタル放送において、使用者が望むサービスを選択することはトランスポートストリームを選択することに相当する。
【０００３】
従来、使用者が新たなサービスの選択を指示すると、一般的なデジタル放送受信装置は、まず黒画面を提示し、その後サービスの切り換え処理を実施する。映像、音声及びデータ等の提示準備が完了した後に、それらは表示され、これによって、サービスの切り換えが完了する。
【０００４】
この中でも、特にデータが含まれるサービス（以下、データ放送と称する）の場合は、映像又は音声から黒画面の提示が完了した後に、デジタル放送受信装置は、提示すべきデータを取得し、処理した後、提示準備が整ってから、処理済みのデータを画面へ表示するようにしている。
【０００５】
上記データ放送で取得可能なデータは、データカルーセル方式に従って伝送される。データカルーセル方式では、一連のデータが繰り返し伝送されており、その中から、データ放送受信装置は、必要なものを取り出して提示する。但し、カルーセルの周期に対し、伝送される各データの送出頻度は一定ではなく、サービスの内容によっては、提示に必要なデータをデジタル放送受信装置が取得し終えるまでにかなりの時間を要する場合がある。このような状況下では、黒画面が提示される時間が長くなり、使用者は、データの表示までかなりの時間待つ必要がある。
【０００６】
また、上記データ放送は、ＢＭＬ（Ｂｒｏａｄｃａｓｔ  Ｍａｒｋｕｐ  Ｌａｎｇｕａｇｅ）という言語で記述されており、デジタル放送受信装置は、データの取得から、その内容を画面に提示するために、取得したデータを解析する必要がある。この解析に要する時間もまた、データ表示まで使用者を待たせる要因となる。
【０００７】
また、上記デジタル放送受信装置として携帯型を想定した場合、電池駆動時の連続視聴時間を考慮し、使用者が映像又は音声を視聴している間、携帯型デジタル放送受信装置は、データ放送の処理機能を停止し、これによって、携帯型デジタル放送受信装置の消費電力を抑えるようにしている。このような場合、使用者が、サービスとしてのデータ放送の提示を選択してから、携帯型デジタル放送受信装置は、データ放送処理機能を起動し、データの受信、解析及び提示を行うことが考えられる。
【０００８】
しかし、上記のような携帯型向け手法は、サービス選択前にデータ放送処理を起動しデータカルーセルからデータを取得しておく手法と比較すると、データ放送処理を起動させていない分、データの内容を画面に提示するまでにより多くの時間を要する。
【０００９】
このように、一般的なデジタル放送受信装置は、携帯型であろうとなかろうと、上記のような理由でデータ放送の内容を提示するまでに時間を要するという問題を抱えていた。このような問題の改善策として、従来、例えば、下記のような方法がデジタル放送受信装置に採用されていた。つまり、デジタル放送受信装置は、複数のフロントエンドを備えており、一方のフロントエンドは、映像又は音声の視聴のための処理を行う。そのバックグラウンドで、他方のフロントエンドは、他のサービスとして送られているデータ放送を受信し、デジタル放送受信装置内部に、受信データのデータベースを作成する。その後、デジタル放送受信装置は、データカルーセルが伝送されてくることを待たずに、ローカルに作成されたデータベースから必要なデータを取得し画面に提示する（例えば特許文献１を参照）。
【特許文献１】特開２００３−５１７５４号公報
【発明の開示】
【発明が解決しようとする課題】
【００１０】
上記のように、従来のデジタル放送受信装置は、使用者に特別な操作を要求することなく、映像受信又は音声受信のバックグランドで、データ放送を受信し蓄積して、蓄積したデータを優先的に使用する。このようにして、使用者によるサービス選択後に、データカルーセルから新たにデータを取得する場合に比べて、データ放送がデジタル放送受信装置に提示されるまでの時間を短縮している。
【００１１】
しかしながら、上記の従来の方法を、携帯型のデジタル放送受信装置に実装しようとすると、下記のような問題点が顕在化する。
【００１２】
まず、複数のフロントエンドを携帯型に実装することは、部品点数の増加によりコストの増加を招く。
【００１３】
さらに、携帯型への電力供給は、据え置き型のそれと比較すると大幅に限定されるので、普通の状態でも、携帯型デジタル放送受信装置の連続視聴時間には難点がある。従って、複数のフロントエンドを実装すると、携帯型のデジタル放送受信装置の消費電力が増大してしまうので、連続視聴時間がさらに短くなるという問題点も想定される。
【００１４】
それ故に、本発明の目的は、データ放送の内容を提示するまでの時間を増大することなく、連続視聴時間を拡大可能なデジタル放送受信装置を提供することである。
【課題を解決するための手段】
【００１５】
上記目的を達成するために、本発明の一局面は、データ放送を受信可能なデジタル放送受信装置に向けられている。デジタル放送受信装置は、放送局から送出されるデジタル放送用放送波を受信する受信手段と、データ放送サービスを提示するためのデータ提示手段と、デジタル放送用放送サービスからデータ放送のデータを分離、取得するデータ取得手段と、取得したデータ放送のデータを記録する内部又は外部の情報記憶手段と、使用者がデータ放送を提示する指示を入力するためのデータ提示指示手段と、使用者からの提示指示に基づいてデータの提示を開始すること優先させるデータ提示設定手段とを備える。また、前記デジタル放送受信装置は、前記データ提示設定手段による設定に従って使用者から指示される任意のタイミングでデータを提示する場合、電源投入後あるいは選局後、前記受信手段において取得したデジタル放送波から、前記データ取得手段においてデータ放送で最初に提示される内容を構成するデータのみを取得し、取得したデータを前記情報記憶手段に記録した後にデータ放送処理機能を停止する。
【発明の効果】
【００１６】
以上のように、以上の局面によれば、電源投入時あるいはサービス選択時に即座にデータ放送を提示する必要がない場合において、データ放送で最初に提示される内容を構成するデータのみを取得した後にデータ放送処理機能を停止し、一定時間間隔あるいは特定のタイミングで記録したデータの判定を行い最新のものを保持しておくことで、使用者からデータ放送提示の指示を受けてからデータの提示完了までの時間を短縮するとともに、消費電力の低減を実現する。
【発明を実施するための最良の形態】
【００１７】
図１は、本発明の一実施形態に係るデジタル放送受信装置の構成を示すブロック図である。図１において、デジタル放送受信装置はまず、デジタル放送を受信するための受信部１を備えており、受信部１は、受信アンテナ２と、放送局選択部３と、受信信号分離部４とを含んでいる。
【００１８】
受信アンテナ２は、各放送局により送信されたデジタル放送を受信する。放送局選択部３は、使用者が所望する放送局からの信号を選択する。受信信号分離部４は、放送局選択部３により選択された受信信号を、典型的には映像信号及び音声信号の組み合わせと、データ信号とに分離する。
【００１９】
デジタル放送受信装置は、上記の受信部１以外にも、映像／音声信号処理部５と、データ取得部６と、情報記憶部７と、データ提示設定部８と、データ更新判定部９と、データ提示指示部１０と、データ提示部１１と、音声／データ合成部１２と、音声出力部１３と、映像／データ合成部１４と、映像出力部１５とを備えている。
【００２０】
映像／音声信号処理部５は、受信信号分離部４により分離された映像信号及び音声信号をそれぞれデコードし、デコード後の音声信号を音声／データ合成部１２（後述）に渡し、デコード後の映像信号を映像／データ合成部１４（後述）に渡す。
【００２１】
上記のように、受信信号分離部４では、データ信号が分離されるが、分離されたデータ信号は、データ取得部６により取得され、データ取得部６は、取得したデータ信号を情報記憶部７に蓄積する
【００２２】
データ提示設定部８は、本デジタル放送受信装置の使用者からの指示に従って、データ放送処理機能をどのように動作させるかを設定する。本実施形態では、データ放送処理機能の動作方法としては、以下の第１及び第２の動作方法がある。
【００２３】
第１の動作方法は、従来のデジタル放送受信装置でも採用されているものである。このような第１の動作方法では、本デジタル放送受信装置の電源投入時又はサービス選択時に、データに予め割り付けられるデータ放送の提示に関する情報に基づいて、データ放送処理機能が動作する。
【００２４】
第２の動作方法において、データ放送処理機能は、本デジタル放送受信装置において最初に提示する内容を構成するデータのみをデータ放送から抽出した後は停止し、一定時間経過毎又は特定のタイミングで、データを判定し更新するために起動する。
【００２５】
なお、詳細は後述するが、第１の動作方法が設定されている場合、本デジタル放送受信装置では、図２のフローチャートに示される処理が実行される。それに対して、第２の動作方法が設定されている場合、図３のフローチャートに示される処理が実行される。
【００２６】
データ更新判定部９は、データ提示設定部８により第２の動作方法が設定された場合、典型的にはＤＩＩ及び／又はモジュールのバージョンに基づいて、その時点で伝送されているデータ放送で最初に提示する内容を構成するデータが、情報記憶部７に蓄積されているものと同じか否かを判定する。データ更新判定部９は、両データが異なる場合は、新たにデータを取得するようデータ取得部６に指示する。
【００２７】
データ提示指示部１０は、使用者により操作され、データ放送の内容を使用者に提示するようにデジタル放送受信装置に指示する。
【００２８】
データ提示部１１は、データ提示指示部１０に上記の指示がなされた場合、情報記録部７に蓄積されているデータが最新のものか否かを判定した後、必要に応じて、情報記録部７内のデータを更新する。その後、データ提示部１１は、情報記憶部７において更新されたデータを優先的に用いてデータ放送の内容の提示処理を行う。言い換えれば、データ提示部１１は、情報記憶部７から、データ放送について、更新されたテキストデータ、画像データ及び音声データを取得する。データ提示部１１は、取得した音声データを音声／データ合成部１２に渡し、また、取得したテキストデータ及び画像データを映像／データ合成部１４に渡す。
【００２９】
音声／データ合成部１２は、映像／音声信号処理部５から送られてくる音声信号に、データ提示部１１から必要に応じて送られてくる音声データを合成して、合成後の音声信号及び音声データを音声出力部１３に渡す。音声出力部１３は、入力された音声信号及び音声データを出力し、使用者に音声を提供する。
【００３０】
映像／データ合成部１４は、映像／音声信号処理部５から送られてくる映像信号に、データ提示部１１から必要に応じて送られてくるテキストデータ及び／又は映像データを合成して、合成後の映像信号等を映像出力部１５に渡す。映像出力部１５は、入力された映像信号等を出力し、使用者に映像及び／又はテキストを提供する。
【００３１】
以下、図２のフローチャートを参照して、上記第１の動作方法が設定された場合におけるデジタル放送受信装置の処理について詳説する。なお、図２に示す処理は、受信中のデジタル放送のサービスにデータ放送が含まれていることを前提としたものである。また、いずれのステップにおいても、放送局選択部３において、使用者の指示を受けて新たにサービスの選択が行なわれた場合は、ステップＳ２０１に戻るものとする。
【００３２】
ステップＳ２０１では、受信アンテナ２で受信したデジタル放送が、受信信号分離部４において映像、音声及びデータのような各種情報に分離され、データ取得部６は、データ放送用のデータを取得し、情報記憶部７に蓄積する。
【００３３】
ステップＳ２０２では、ステップＳ２０１で取得されたデータについて、データ更新判定部９は、データ放送で最初に提示する内容を構成するデータに割り付けられる情報の一つであるａｕｔｏ＿ｓｔａｒｔ＿ｆｌａｇの値を参照する。
【００３４】
ステップＳ２０３では、ステップＳ２０２で参照したａｕｔｏ＿ｓｔａｒｔ＿ｆｌａｇの値に従って、データ更新判定部９は処理の分岐を行う。具体的には、ａｕｔｏ＿ｓｔａｒｔ＿ｆｌａｇの値が０の場合は、処理はステップＳ２０４へ進み、ａｕｔｏ＿ｓｔａｒｔ＿ｆｌａｇの値が１の場合、処理は、ステップＳ２０６へ進む。
【００３５】
ステップＳ２０４では、データ提示部１１は、使用者からデータ放送の提示がデータ提示指示部１０により指示されたか否かを判定する。具体的には、使用者からデータ放送の提示が指示された場合、処理はステップＳ２０５へ進む。使用者からデータ放送の提示が指示されていない場合、処理はステップＳ２０４へ戻る。換言すると、ステップＳ２０４において、データ提示部１１は、使用者からデータ放送の提示指示がなされるまで待機する。なお、上記待機中であっても、データ更新判定部９は、情報記憶部７内のデータを監視し続け、データが更新されたと判定された場合は、データ取得部７に対して改めてデータを取得するよう指示する。
【００３６】
ステップＳ２０５では、データ提示部１１は、情報記憶部７に保存されているデータを用いてデータ放送の内容の提示を、前述のようにして行う。
【００３７】
以下、図３のフローチャートを参照して、上記第２の動作方法が設定された場合におけるデジタル放送受信装置の処理について詳説する。なお、図３に示す処理は、受信中のデジタル放送のサービスにデータ放送が含まれていることを前提としたものである。また、いずれのステップにおいても、放送局選択部３において、使用者の指示を受けて新たにサービスの選択が行なわれた場合は、ステップＳ３０１に戻るものとする。
【００３８】
ステップＳ３０１では、受信アンテナ２で受信したデジタル放送が、受信信号分離部４において映像、音声及びデータのような各種情報に分離され、データ取得部６は、データ放送で最初に提示する内容に関するデータのみを取得し、情報記憶部７に記録する。
【００３９】
ステップＳ３０２では、データ更新判定部９は、データ放送処理機能を停止する。データ放送処理機能が停止している間、データ更新判定部９は、伝送されているデータの監視も行わず、たとえ伝送されているデータが更新されたと判定しても、情報記憶部７内のデータを更新しない。
【００４０】
ステップＳ３０３では、データ提示部１１は、使用者からデータ放送の提示がデータ提示指示部１０により指示されたか否かを判定する。具体的には、使用者からデータ放送の提示が指示された場合、処理はステップＳ３１０へ進む。使用者からデータ放送の提示が指示されていない場合、処理はステップＳ３０４へ進む。
【００４１】
ステップＳ３０４では、ステップＳ３０２における機能停止から、データ更新判定部９は、自身が再び起動しさらにデータの更新判定を行うように設定された所定時間が経過したか否かを判定する。所定時間経過していれば、処理はステップＳ３０６へ進む。所定時間経過していなければ、処理はステップＳ３０５に進む。
【００４２】
ステップＳ３０５では、データ更新判定部９は、同一サービス内で番組が切り換わったか否かを判定する。番組が切り換わった場合、処理はステップＳ３０６へ進む。番組が切り換わっていない場合、処理はステップＳ３０３へ進む。なお、所定時間間隔以外に特定のタイミングでのデータ放送処理機能を起動する場合、使用者からのデータ更新の指示を入力するデータ更新指示部を設け、使用者からのデータ更新指示を受けて、データ放送処理機能を起動させることも可能である。
【００４３】
ステップＳ３０６では、データ更新判定部９は、ステップＳ３０２で停止させたデータ放送処理機能を起動する。
【００４４】
ステップＳ３０７では、まず、現在伝送されているデータをデータ取得部６は取得する。データ更新判定部９は、取得されたデータと、情報記憶部７に記録されているデータとをデータ更新判定部９において比較し、情報記憶部７に記録されているデータが最新であるか否かを判定する。
【００４５】
ステップＳ３０８では、ステップＳ３０７で判定した結果に基づき、現在伝送されているデータが情報記憶部７に記録されているデータと異なる場合、処理はステップＳ３０９に進む。現在伝送されているデータが情報記憶部７に記録されているデータと同一の場合、処理はステップＳ３０２に進む。
【００４６】
ステップＳ３０９において、データ取得部６は、情報記憶部７に記録されているデータのうち、ステップＳ３０８で更新されたと判定したものに対してデータを再取得し、情報記憶装置８に記録されているデータを更新する。
【００４７】
換言すると、ステップＳ３０２からステップＳ３０９までの処理では、データ提示指示部１０を通じて使用者がデータ放送の提示指示をするまで、データ更新判定部９は、所定時間経過毎あるいは番組が切り換わったタイミングでデータ放送処理機能を起動し、情報記憶部７に記録されているデータがその時点で伝送されているデータと同一であるかを比較することでデータが最新であるかどうかを判定し、最新でない場合は新たにデータを取得しなおした上で、情報記憶部７に記録されているデータを最新に保つよう、データ取得部６に指示する。
【００４８】
ステップＳ３１０では、データ提示指示部１０において使用者からデータ放送の提示指示がなされたことを受けてデータ放送処理機能を起動する。
【００４９】
ステップＳ３１１からＳ３１３では、ステップＳ３０７からＳ３０９と同様の処理が行われる。ステップＳ３１４では、データ提示部１１は、情報記憶部７に保存されているデータを用いてデータ放送の内容の提示を行う。
【００５０】
換言すると、ステップＳ３１０からステップＳ３１４までの処理では、使用者からデータ放送提示の指示を受けた場合、情報記憶部７に記録されているデータがその時点で伝送されているデータと同一であるかを比較することでデータが最新であるかどうかを判定し、最新でない場合は新たにデータを取得しなおした上で、情報記憶部７に記録されているデータを優先的に用いてデータ放送の提示を行う。
【００５１】
このように、電源投入時あるいはサービス選択時にデータ放送を即座に提示する必要がない場合に、データ放送で最初に提示する内容を構成するデータのみを取得した後にデータ放送処理機能を停止させ、データ放送処理機能を一定間隔あるいは特定のタイミングにおいてのみ起動し、記録しているデータを最新に保つ処理を実施することで、デジタル放送受信装置の基本構成のみによって、使用者からのデータ放送提示指示からデータ放送提示完了までの所要時間を増大させることなく、消費電力を低減させることを可能とする。
【産業上の利用可能性】
【００５２】
本発明に係るデジタル放送受信装置は、低消費電力であることが要求される携帯型等に好適である。
【図面の簡単な説明】
【００５３】
【図１】本発明の一実施形態に係るデジタル放送受信装置の構成を示すブロック図
【図２】図１に示すデジタル放送受信装置の第１の動作手順を示すフローチャート
【図３】図１に示すデジタル放送受信装置の第２の動作手順を示すフローチャート
【符号の説明】
【００５４】
１  受信部
２  受信アンテナ
３  放送局選択部
４  受信信号分離部
５  映像／音声信号処理部
６  データ取得部
７  情報記憶部
８  データ提示設定部
９  データ更新判定部
１０  データ提示指示部
１１  データ提示部
１２  音声／データ合成部
１３  音声出力部
１４  映像／データ合成部
１５  映像出力部
【図１】
2006352582.tif 000003
【図２】
2006352582.tif 000004
【図３】
2006352582.tif 000005